【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
本体側トナー収納部に向けてトナーを搬送するための本体側搬送部材を備える電子写真画像形成装置本体に着脱可能なカートリッジであって、
感光体ドラムと、
前記感光体ドラムから除去されたトナーを前記本体側搬送部材に向けて排出するように構成された排出口と、
前記本体側搬送部材に回転力を伝達するように構成されたカップリング部材と、
を有し、
前記カップリング部材は、前記本体側搬送部材に前記回転力を伝達するための第１の位置と、前記第１の位置から退避した第２の位置と、の間を移動可能に構成されたカートリッジ。
【請求項２】
前記第２の位置にある前記カップリング部材と前記感光体ドラムの回転軸線との距離は、前記第１の位置にある前記カップリング部材と前記感光体ドラムの回転軸線との距離よりも短い請求項１に記載のカートリッジ。
【請求項３】
前記カートリッジは、前記感光体ドラムから除去されたトナーを搬送するためのカートリッジ側搬送部材を有し、
前記第２の位置にある前記カップリング部材と前記カートリッジ側搬送部材の回転軸線との距離は、前記第１の位置にある前記カップリング部材と前記カートリッジ側搬送部材の回転軸線との距離よりも短い請求項２に記載のカートリッジ。
【請求項４】
前記カップリング部材を前記第２の位置から前記第１の位置へ移動させるための力を前記電子写真画像形成装置本体から受ける移動力受け部を有する請求項１乃至３のいずれか１項に記載のカートリッジ。
【請求項５】
前記カップリング部材は自然状態で第２の位置にある請求項１乃至４のいずれか１項に記載のカートリッジ。
【請求項６】
前記カップリング部材を前記第２の位置に向けて付勢する付勢部材を有する請求項１乃至５のいずれか１項に記載のカートリッジ。
【請求項７】
前記カップリング部材を前記第１の位置から前記第２の位置へ移動させるための力を前記電子写真画像形成装置本体から受けるための移動力受け部を有する請求項１乃至３のいずれか１項に記載のカートリッジ。
【請求項８】
前記カップリング部材は自然状態で第１の位置にある請求項１乃至３および請求項７のいずれか１項に記載のカートリッジ。
【請求項９】
前記カップリング部材を前記第１の位置に向けて付勢する付勢部材を有する請求項１乃至３、請求項７および請求項８のいずれか１項に記載のカートリッジ。
【請求項１０】
本体側トナー収納部に向かってトナーを搬送するための本体側搬送部材を備える電子写真画像形成装置本体に着脱可能なカートリッジであって、
感光体ドラムと、
感光体ドラムから除去されたトナーを前記本体側搬送部材に向けて排出するように構成された排出口と、
前記本体側搬送部材に回転力を伝達するように構成されたカップリング部材と、
前記電子写真画像形成装置本体に設けられたトナーの受け入れ口に前記排出口を連結するように構成された連結部であって、前記排出口を前記受け入れ口に連結するための連結位置と、前記連結位置から退避した非連結位置と、の間を移動可能な連結部と、
を有し、
前記カップリング部材は、連結部が前記連結位置と前記非連結位置の間を移動することにともなって移動するように構成されているカートリッジ。
【請求項１１】
前記カップリング部材は、前記本体側搬送部材に回転力を伝達するための第１の位置と、前記第１の位置から退避した第２の位置との間を移動可能に構成され、
前記連結部が前記連結位置に移動することに伴って、前記カップリング部材は前記第１の位置に移動し、前記連結部が前記非連結位置に移動することに伴って、前記カップリング部材は前記第２の位置に移動する請求項１０に記載のカートリッジ。
【請求項１２】
前記第２の位置にある前記カップリング部材と前記感光体ドラムの回転軸線との距離は、前記第１の位置にある前記カップリング部材と前記感光体ドラムの回転軸線との距離よりも短い請求項１１に記載のカートリッジ。
【請求項１３】
前記カートリッジは、前記感光体ドラムから除去されたトナーを搬送するためのカートリッジ側搬送部材を有し、
前記第２の位置にある前記カップリング部材と前記カートリッジ側搬送部材の回転軸線との距離は、前記第１の位置にある前記カップリング部材と前記カートリッジ側搬送部材の回転軸線との距離よりも短い請求項１１または１２に記載のカートリッジ。
【請求項１４】
前記カップリング部材を前記第２の位置から前記第１の位置へ移動させるための力を前記電子写真画像形成装置本体から受ける移動力受け部を有する請求項１１乃至１３のいずれか１項に記載のカートリッジ。
【請求項１５】
前記カップリング部材は自然状態で第２の位置にある請求項１１乃至１４のいずれか１項に記載のカートリッジ。
【請求項１６】
前記カップリング部材を前記第２の位置に向けて付勢する付勢部材を有する請求項１１乃至１５のいずれか１項に記載のカートリッジ。
【請求項１７】
前記カップリング部材を前記第１の位置から前記第２の位置へ移動させるための力を前記電子写真画像形成装置本体から受ける移動力受け部を有する請求項１１乃至１３のいずれか１項に記載のカートリッジ。
【請求項１８】
前記カップリング部材は自然状態で第１の位置にある請求項１１乃至１３および請求項１７のいずれか１項に記載のカートリッジ。
【請求項１９】
前記カップリング部材を前記第１の位置に向けて付勢する付勢部材を有する請求項１１乃至１３、請求項１７および請求項１８のいずれか１項に記載のカートリッジ。
【請求項２０】
本体側トナー収納部に向かってトナーを搬送するための本体側搬送部材を備える電子写真画像形成装置本体に着脱可能なカートリッジであって、
感光体ドラムと、
感光体ドラムから除去されたトナーを前記本体側搬送部材に向けて排出するように構成された排出口と、
前記本体側搬送部材に回転力を伝達するように構成されたカップリング部材と、
を有し、
前記カップリング部材は、前記カートリッジの装着方向と交差した方向に移動可能に構成されたカートリッジ。
【請求項２１】
前記カップリング部材は、前記本体側搬送部材に回転力を伝達するための第１の位置と、前記第１の位置から退避した第２の位置と、の間を移動可能に構成されている請求項２０に記載のカートリッジ。
【請求項２２】
前記第２の位置にある前記カップリング部材と前記感光体ドラムの回転軸線との距離は、前記第１の位置にある前記カップリング部材と前記感光体ドラムの回転軸線との距離よりも短い請求項２１に記載のカートリッジ。
【請求項２３】
前記カートリッジは、前記感光体ドラムから除去されたトナーを搬送するためのカートリッジ側搬送部材を有し、
前記第２の位置にある前記カップリング部材と前記カートリッジ側搬送部材の回転軸線との距離は、前記第１の位置にある前記カップリング部材と前記カートリッジ側搬送部材の回転軸線との距離よりも短い請求項２１または２２に記載のカートリッジ。
【請求項２４】
前記カップリング部材を前記第２の位置から前記第１の位置へ移動させるための力を前記電子写真画像形成装置本体から受ける移動力受け部を有する請求項２１乃至２３のいずれか１項に記載のカートリッジ。
【請求項２５】
前記カップリング部材は自然状態で第２の位置にある請求項２１乃至２４のいずれか１項に記載のカートリッジ。
【請求項２６】
前記カップリング部材を前記第２の位置に向けて付勢する付勢部材を有する請求項２１乃至２５のいずれか１項に記載のカートリッジ。
【請求項２７】
前記カップリング部材を前記第１の位置から前記第２の位置へ移動させるための力を前記電子写真画像形成装置本体から受ける移動力受け部を有する請求項２１乃至２３のいずれか１項に記載のカートリッジ。
【請求項２８】
前記カップリング部材は自然状態で第１の位置にある請求項２１乃至２３および請求項２７のいずれか１項に記載のカートリッジ。
【請求項２９】
前記カップリング部材を前記第１の位置に向けて付勢する付勢部材を有する請求項２１乃至２３、請求項２７および請求項２８のいずれか１項に記載のカートリッジ。
【請求項３０】
前記カップリング部材は、前記感光体ドラムに対して移動可能に構成された請求項１乃至２９のいずれか１項に記載のカートリッジ。
【請求項３１】
前記カップリング部材は、前記感光体ドラムの回転軸線方向に交差する方向に移動するように構成されている請求項１乃至３０のいずれか１項に記載のカートリッジ。
【請求項３２】
前記カップリング部材は、前記カートリッジの装着方向と交差する方向に移動するように構成されている請求項１乃至１９および３１のいずれか１項に記載のカートリッジ。
【請求項３３】
前記カップリング部材は、前記感光体ドラムの回転に連動して回転する請求項１乃至３２のいずれか１項に記載のカートリッジ。
【請求項３４】
前記カップリング部材は、前記感光体ドラムの回転によって回されるように構成されている請求項１乃至３３に記載のカートリッジ。
【請求項３５】
前記感光体ドラム上に形成された潜像を現像するための現像ローラを有し、
前記カップリング部材は、前記現像ローラの回転に連動して回転する請求項１乃至３４のいずれか１項に記載のカートリッジ。
【請求項３６】
前記感光体ドラム上に形成された潜像を現像するための現像ローラを有し、
前記カップリング部材は、前記現像ローラの回転によって回されるように構成されている請求項１乃至３４のいずれか１に記載のカートリッジ。
【請求項３７】
前記カートリッジは、前記感光体ドラムから除去されたトナーが移動するための搬送路を有する請求項１乃至３６のいずれか１項に記載のカートリッジ。
【請求項３８】
前記搬送路として、前記感光体ドラムの回転軸線方向にトナーが移動するための第１搬送路を有する請求項３７に記載のカートリッジ。
【請求項３９】
前記搬送路としての第２搬送路であって、前記第１搬送路と連通して前記感光体ドラムの回転軸線方向と交差する方向にトナーが移動するための第２搬送路を有する請求項３８に記載のカートリッジ。
【請求項４０】
トナーを搬送するため前記第１搬送路の内部に配置されたカートリッジ側搬送部材を有する請求項３９に記載のカートリッジ。
【請求項４１】
前記カートリッジ側搬送部材は、
第１搬送路と前記第２搬送路の連通部に向けてトナーを搬送する第１搬送部と、
前記第１搬送部によるトナーの搬送方向において、前記第１搬送部よりも下流側に配置されて前記第１搬送部とは反対側にトナーを搬送する第２搬送部とを有する請求項４０に記載のカートリッジ。
【請求項４２】
前記第２搬送路は、前記排出口にトナーが移動するための排出路である請求項３９乃至４１のいずれか１項に記載のカートリッジ。
【請求項４３】
前記排出口にトナーが移動するための排出路を有する請求項１乃至４１のいずれか１項に記載のカートリッジ。
【請求項４４】
前記排出路は、前記感光体ドラムの回転軸線方向と交差する方向にトナーを移動させる請求項４２又は４３に記載のカートリッジ。
【請求項４５】
前記排出路は、前記感光体ドラムの回転軸線方向における前記カートリッジの一端の近傍に配置されている請求項４２乃至４４のいずれか１項に記載のカートリッジ。
【請求項４６】
前記カップリング部材は、前記排出路の終端の近傍に配置されている請求項４２乃至４５のいずれか１項に記載のカートリッジ。
【請求項４７】
前記カップリング部材は、前記排出路の少なくとも一部を構成する請求項４２乃至４６のいずれか１項に記載のカートリッジ。
【請求項４８】
前記カップリング部材の少なくとも一部は、前記排出路の内部に配置されるように構成されている請求項４２乃至４７のいずれか１項に記載のカートリッジ。
【請求項４９】
前記排出路は変形可能に構成され、前記排出路の変形に伴って前記カップリング部材は移動する請求項４２乃至４８のいずれか１項に記載のカートリッジ。
【請求項５０】
前記排出路は伸縮するように変形する請求項４９に記載のカートリッジ。
【請求項５１】
前記カートリッジは、前記電子写真画像形成装置本体に設けられたトナーの受け入れ口に前記排出口を連結させるための連結部を有し、
前記連結部の移動によって前記排出路が変形する請求項４９又は５０に記載のカートリッジ。
【請求項５２】
前記カートリッジは、前記排出路の少なくとも一部を構成する弾性変形が可能な弾性変形部を有し、
前記弾性変形部の変形によって前記カップリング部材が移動する請求項４９乃至５１のいずれか１項に記載のカートリッジ。
【請求項５３】
前記カップリング部材は、前記排出口の少なくとも一部を構成する請求項１乃至５２のいずれか１項に記載のカートリッジ。
【請求項５４】
前記感光体ドラムから除去されたトナーを搬送するためのカートリッジ側搬送部材を有する請求項１、請求項２、請求項１０乃至１２および請求項２０乃至２２のいずれか１項に記載のカートリッジ。
【請求項５５】
前記感光体ドラムの回転軸線に沿って前記カートリッジを見たとき、前記カップリング部材の回転軸線に沿って直線をひくと、前記直線に対して前記感光体ドラムの回転中心と前記カートリッジ側搬送部材の回転中心は互いに反対側に位置する請求項５４のいずれか１項に記載のカートリッジ。
【請求項５６】
前記カップリング部材は、前記カートリッジ側搬送部材の回転に連動して回転する請求項５４又は５５に記載のカートリッジ。
【請求項５７】
前記カートリッジ側搬送部材は、前記感光体ドラムから前記カップリング部材に回転力を伝達するように構成されている請求項５４乃至５６のいずれか１項に記載のカートリッジ。
【請求項５８】
前記カートリッジ側搬送部材は、前記感光体ドラムの軸線方向に沿ってトナーを搬送する請求項５４乃至５７のいずれか１項に記載のカートリッジ。
【請求項５９】
前記カップリング部材は、前記カートリッジ側搬送部材に対して移動可能である請求項５４乃至５８のいずれか１項に記載のカートリッジ。
【請求項６０】
前記カップリング部材は、前記カートリッジ側搬送部材の回転軸線方向と交差する方向に移動する請求項５４乃至５９のいずれか１項に記載のカートリッジ。
【請求項６１】
前記カートリッジ側搬送部材から前記カップリング部材に前記回転力を伝達する駆動伝達部を有する請求項５４乃至６０のいずれか１項に記載のカートリッジ。
【請求項６２】
前記カートリッジ側搬送部材は、前記駆動伝達部に向けてトナーを搬送するための第１搬送部と、第１搬送部よりも短く、前記第１搬送部と反対向きにトナーを搬送するための第２搬送部と、を有し、
前記駆動伝達部は前記第２搬送部から前記回転力を受ける請求項６１に記載のカートリッジ。
【請求項６３】
前記カートリッジ側搬送部材は、スクリューを形成する羽を有し、
前記駆動伝達部は複数の係合部を有し、前記カートリッジ側搬送部材が回転することで前記複数の係合部が前記羽に順次係合するように構成されている請求項６１又は６２に記載のカートリッジ。
【請求項６４】
前記感光体ドラムから前記カップリング部材に回転力を伝達する駆動伝達部を有する請求項１乃至６０のいずれか１項に記載のカートリッジ。
【請求項６５】
前記駆動伝達部の少なくとも一部は、トナーが移動する搬送路の中に配置されている請求項６１乃至６４のいずれか１項に記載のカートリッジ。
【請求項６６】
前記駆動伝達部は、前記排出口に向かうトナーの通過を許容する開口を有する請求項６１乃至６５のいずれか１項に記載のカートリッジ。
【請求項６７】
前記カップリング部材が移動することで、前記排出口が開閉される請求項１乃至６６のいずれか１項に記載のカートリッジ。
【請求項６８】
前記カップリング部材は、弾性変形が可能な弾性変形部を有し、前記弾性変形部が変形することで前記カップリング部材が移動する請求項１乃至６７のいずれか１項に記載のカートリッジ。
【請求項６９】
前記カートリッジは、前記感光体ドラムからトナーを除去するためのクリーニング部材を有する請求項１乃至６８のいずれか１項に記載のカートリッジ。
【請求項７０】
前記カートリッジは、前記カップリング部材を移動させるための力を前記電子写真画像形成装置本体から受けるための移動力受け部を有する請求項１乃至３、請求項１０乃至１３および請求項２０乃至２３のいずれか１項に記載のカートリッジ。
【請求項７１】
前記カートリッジは、前記カップリング部材を付勢する付勢部材を有し、
前記カップリング部材は、前記移動力受け部が受けた力によって、前記付勢部材の付勢力に抗して移動する請求項７０に記載のカートリッジ。
【請求項７２】
前記カートリッジは、前記電子写真画像形成装置本体に設けられたトナーの受け入れ口に前記排出口を連結するための連結部を有する請求項１乃至９および請求項２０乃至３０のいずれか１項に記載のカートリッジ。
【請求項７３】
前記連結部は移動可能に構成されている請求項７２に記載のカートリッジ。
【請求項７４】
前記連結部の移動に伴って、前記カップリング部材が移動する請求項７３に記載のカートリッジ。
【請求項７５】
前記電子写真画像形成装置本体から回転力が入力される駆動入力部を有し、
前記駆動入力部が受けた前記回転力を前記カップリング部材に伝達するように構成されている請求項１乃至７４のいずれか１項に記載のカートリッジ。
【請求項７６】
前記感光体ドラムが、前記駆動入力部を有する請求項７５に記載のカートリッジ。
【請求項７７】
前記感光体ドラム上に形成された潜像を現像するための現像ローラと、
前記現像ローラに現像剤を供給するための供給ローラであって、前記駆動入力部が設けられた供給ローラと、
を有する請求項７５に記載のカートリッジ。
【請求項７８】
前記カップリング部材は、前記排出口の近傍に配置されている請求項１乃至７７のいずれか１項に記載のカートリッジ。
【請求項７９】
前記排出口を開閉するためのシャッタ部材を有する請求項１乃至７８のいずれか１項に記載のカートリッジ。
【請求項８０】
前記シャッタ部材は、前記排出口を覆うためのシール部材と、前記シール部材を支えるシール支持部を有し、
前記シャッタ部材が前記排出口を閉じているときに、前記シール部材は前記シール支持部と前記排出口の間に挟まれて、前記排出口の縁に接触し、
前記シール支持部は、前記シール部材から離れるようにくぼんだ凹部もしくは、前記シール部材と接触しない非接触部を有する請求項７９に記載のカートリッジ。
【請求項８１】
前記シャッタ部材が前記排出口を開く際に移動する開方向に沿って見た際に、前記シャッタ部材の少なくとも一部を覆うカバー部であって、前記開方向において前記排出口よりも上流側に配置されたカバー部を有する請求項７９乃至８０のいずれか１項に記載のカートリッジ。
【請求項８２】
電子写真画像形成装置本体に着脱可能なカートリッジにおいて、
感光体ドラムと、
前記感光体ドラムから除去されたトナーを前記カートリッジの外部に排出するための排出口と、
前記排出口の近傍に配置されて、前記カートリッジの外部に回転力を伝達するように構成されたカップリング部材であって、第１の位置と、前記第１の位置から退避した第２の位置と、の間を移動可能なカップリング部材と、
を有するカートリッジ。
【請求項８３】
電子写真画像形成装置本体に着脱可能なカートリッジにおいて、
感光体ドラムと、
前記感光体ドラムから除去されたトナーを前記カートリッジの外部に排出するための排出口と、
前記カートリッジの外部に回転力を伝達可能なカップリング部材であって、前記排出口を開閉するように移動可能なカップリング部材と、
を有するカートリッジ。
【請求項８４】
前記カートリッジは、前記感光体ドラムから除去されたトナーが移動するための搬送路  を有する請求項８２または８３に記載のカートリッジ。
【請求項８５】
前記搬送路として、前記感光体ドラムの回転軸線方向にトナーが移動するための第１搬送路を有する請求項８４に記載のカートリッジ。
【請求項８６】
前記搬送路として、前記第１搬送路と連通して前記感光体ドラムの回転軸線方向と交差する方向にトナーが移動するための第２搬送路を有する請求項８５に記載のカートリッジ。
【請求項８７】
トナーを搬送するため前記第１搬送路の内部に配置された搬送部材を有する請求項８５又は８６に記載のカートリッジ。
【請求項８８】
前記搬送部材は、
第１搬送路と前記第２搬送路の連通部に向けてトナーを搬送する第１搬送部と、
前記第１搬送部によるトナーの搬送方向において、前記第１搬送部よりも下流側に配置されて前記第１搬送部とは反対側にトナーを搬送する第２搬送部とを有する請求項８７に記載のカートリッジ。
【請求項８９】
前記第２搬送路は、前記排出口にトナーが移動するための排出路である請求項８６乃至８８のいずれか１項に記載のカートリッジ。
【請求項９０】
前記排出口にトナーが移動するための排出路を有する請求項８２乃至８８のいずれか１項に記載のカートリッジ。
【請求項９１】
前記排出路は、前記感光体ドラムの回転軸線と交差する方向にトナーを移動させる請求項８９または９０に記載のカートリッジ。
【請求項９２】
前記排出路は、前記感光体ドラムの回転軸線方向における前記カートリッジの一端の近傍に配置されている請求項８９乃至９１のいずれか１項に記載のカートリッジ。
【請求項９３】
前記カップリング部材は、前記排出路の終端の近傍に配置されている請求項８９乃至９２のいずれか１項に記載のカートリッジ。
【請求項９４】
前記カップリング部材は、前記排出路の少なくとも一部を構成する請求項８９乃至９３のいずれか１項に記載のカートリッジ。
【請求項９５】
前記カップリング部材の少なくとも一部は、前記排出路の内部に配置されるように構成されている請求項８９乃至９４のいずれか１項に記載のカートリッジ。
【請求項９６】
前記排出路は変形可能に構成され、前記排出路の変形に伴って前記カップリング部材は移動する請求項８９乃至９５のいずれか１項に記載のカートリッジ。
【請求項９７】
前記排出路は伸縮するように変形する請求項９６に記載のカートリッジ。
【請求項９８】
前記カートリッジは、前記カートリッジの外部に前記排出口を連結させるための連結部を有し、前記連結部の移動によって前記排出路が変形する請求項９６又は９７に記載のカートリッジ。
【請求項９９】
前記カートリッジは、前記排出路の少なくとも一部を構成する弾性変形が可能な弾性変形部を有し、前記弾性変形部の変形によって前記カップリング部材が移動する請求項８９乃至９８のいずれか１項に記載のカートリッジ。
【請求項１００】
前記カートリッジは、前記排出口を前記カートリッジの外部に連結するための連結部を有する請求項８２乃至９７のいずれか１項に記載のカートリッジ。
【請求項１０１】
前記連結部は移動可能に構成されている請求項１００に記載のカートリッジ。
【請求項１０２】
前記連結部の移動に伴って、前記カップリング部材が移動する請求項１０１に記載のカートリッジ。
【請求項１０３】
電子写真画像形成装置本体に着脱可能なカートリッジにおいて、
感光体ドラムと、
前記感光体ドラムから除去されたトナーを前記カートリッジの外部に排出するための排出口と、
前記排出口にトナーが移動するための変形可能な排出路と、
前記排出口の近傍に配置されて、前記カートリッジの外部に回転力を伝達するように構成されたカップリング部材と、
を有し、
前記カップリング部材は、前記排出路の変形に伴って移動可能であるカートリッジ。
【請求項１０４】
電子写真画像形成装置本体に着脱可能なカートリッジにおいて、
感光体ドラムと、
前記感光体ドラムから除去されたトナーを前記カートリッジの外部に排出するための排出口と、
前記排出口にトナーが移動するための排出路と、
前記カートリッジの外部に回転力を伝達可能なカップリング部材であって、少なくともその一部が前記排出路の内部に配置されて、かつ、前記排出路に沿って移動可能なカップリング部材と、
を有するカートリッジ。
【請求項１０５】
前記カートリッジは、前記感光体ドラムから除去されたトナーが移動するための搬送路  を有する請求項１０３又は１０４に記載のカートリッジ。
【請求項１０６】
前記搬送路は、トナーが前記感光体ドラムの回転軸線方向に移動できるように構成されている請求項１０５に記載のカートリッジ。
【請求項１０７】
前記排出路は、前記搬送路と連通する請求項１０５又は１０６に記載のカートリッジ。
【請求項１０８】
トナーを搬送するため前記搬送路の内部に配置された搬送部材を有する請求項１０５乃至１０７に記載のカートリッジ。
【請求項１０９】
前記搬送部材は、
搬送路と前記排出路の連通部に向けてトナーを搬送する第１搬送部と、
前記第１搬送部によるトナーの搬送方向において、前記第１搬送部よりも下流側に配置されて前記第１搬送部とは反対側にトナーを搬送する第２搬送部と、
を有する請求項１０８に記載のカートリッジ。
【請求項１１０】
前記排出路は、前記感光体ドラムの回転軸線と交差する方向にトナーを移動させる請求項１０３乃至１０９のいずれか１項に記載のカートリッジ。
【請求項１１１】
前記排出路は、前記感光体ドラムの回転軸線方向における前記カートリッジの一端の近傍に配置されている請求項１０３乃至１１０のいずれか１項に記載のカートリッジ。
【請求項１１２】
前記カップリング部材は、前記排出路の終端の近傍に配置されている請求項１０３乃至１１１のいずれか１項に記載のカートリッジ。
【請求項１１３】
前記カップリング部材は、前記排出路の少なくとも一部を構成する請求項１０３乃至１１２のいずれか１項に記載のカートリッジ。
【請求項１１４】
前記カップリング部材の少なくとも一部は、前記排出路の内部に配置されるように構成されている請求項１０３乃至１１２のいずれか１項に記載のカートリッジ。
【請求項１１５】
前記排出路は変形可能に構成され、前記排出路の変形に伴って前記カップリング部材は移動する請求項１０３乃至１１４のいずれか１項に記載のカートリッジ。
【請求項１１６】
前記排出路は伸縮するように変形する請求項１１５に記載のカートリッジ。
【請求項１１７】
前記カートリッジは、前記カートリッジの外部に前記排出口を連結させるための連結部を有し、
前記連結部の移動によって前記排出路が変形する請求項１１５又は１１６に記載のカートリッジ。
【請求項１１８】
前記カートリッジは、前記排出路の少なくとも一部を構成する弾性変形が可能な弾性変形部を有し、
前記弾性変形部の変形によって前記カップリング部材が移動する請求項１０３乃至１１７のいずれか１項に記載のカートリッジ。
【請求項１１９】
前記カップリング部材は、前記感光体ドラムまでの距離を変えるように移動可能に構成された請求項８２乃至１１８のいずれか１項に記載のカートリッジ。
【請求項１２０】
前記カップリング部材は、前記感光体ドラムの回転軸線方向に交差する方向に移動するように構成されている請求項８２乃至１１９のいずれか１項に記載のカートリッジ。
【請求項１２１】
前記カップリング部材は、前記カートリッジの装着方向と交差する方向に移動するように構成されている請求項８２乃至１２０のいずれか１項に記載のカートリッジ。
【請求項１２２】
前記カップリング部材は、前記感光体ドラムの回転に連動して回転する請求項８２乃至１２１のいずれか１項に記載のカートリッジ。
【請求項１２３】
前記カップリング部材は、前記感光体ドラムの回転によって回されるように構成された請求項８２乃至１２２のいずれか１項に記載のカートリッジ。
【請求項１２４】
前記カートリッジは現像ローラを有し、
前記カップリング部材は、前記現像ローラの回転に連動して回転する請求項８２乃至１２３のいずれか１項に記載のカートリッジ。
【請求項１２５】
前記カートリッジは現像ローラを有し、
前記カップリング部材は、前記現像ローラの回転によって回されるように構成された請求項８２乃至１２３のいずれか１項に記載のカートリッジ。
【請求項１２６】
前記感光体ドラムから除去されたトナーを搬送するための搬送部材を有することを特徴とする請求項８２乃至８６および請求項１０３乃至１０７のいずれか１項に記載のカートリッジ。
【請求項１２７】
前記感光体ドラムの回転軸線に沿って前記カートリッジを見たとき、前記カップリング部材の回転軸線に沿って直線をひくと前記直線に対して前記感光体ドラムの回転中心と前記搬送部材の回転中心は互いに反対側に位置する請求項１２６に記載のカートリッジ。
【請求項１２８】
前記カップリング部材は、前記搬送部材の回転に連動して回転する請求項１２６又は１２７に記載のカートリッジ。
【請求項１２９】
前記搬送部材は、前記感光体ドラムから前記カップリング部材に回転力を伝達するように構成されている請求項１２６乃至１２８のいずれか１項に記載のカートリッジ。
【請求項１３０】
前記搬送部材は、前記感光体ドラムの軸線に沿ってトナーを搬送する請求項１２６乃至１２９のいずれか１項に記載のカートリッジ。
【請求項１３１】
前記カップリング部材は、前記搬送部材までの距離を変えるように移動する請求項１２６乃至１３０に記載のカートリッジ。
【請求項１３２】
前記カップリング部材は、前記搬送部材の回転軸線方向と交差する方向に移動する請求項１２６乃至１３１に記載のカートリッジ。
【請求項１３３】
前記搬送部材から前記カップリング部材に前記回転力を伝達する駆動伝達部を有する請求項１２６乃至１３２に記載のカートリッジ。
【請求項１３４】
前記搬送部材は、
前記駆動伝達部に向けてトナーを搬送するための第１搬送部と、
前記第１搬送部よりも短い、前記第１搬送部と反対向きにトナーを搬送するための第２搬送部と、
を有し、
前記駆動伝達部は前記第２搬送部から前記回転力を受ける請求項１３３に記載のカートリッジ。
【請求項１３５】
前記搬送部材はスクリューを形成する羽を有し、
前記駆動伝達部は複数の係合部を有し、
前記搬送部材の回転に伴って前記複数の係合部が前記羽に順次係合する請求項１３３又は１３４に記載のカートリッジ。
【請求項１３６】
前記感光体ドラムから前記カップリング部材に回転力を伝達する駆動伝達部を有する請求項８２乃至１３２のいずれか１項に記載のカートリッジ。
【請求項１３７】
前記駆動伝達部の少なくとも一部は、トナーが移動する搬送路の中に配置されている請求項１３３乃至１３６のいずれか１項に記載のカートリッジ。
【請求項１３８】
前記駆動伝達部は、前記排出口に向かうトナーの通過を許容する開口を有する請求項１３３乃至１３７のいずれか１項に記載のカートリッジ。
【請求項１３９】
前記カップリング部材は、前記排出口の少なくとも一部を構成する請求項８２乃至１３８のいずれか１項に記載のカートリッジ。
【請求項１４０】
前記カップリング部材が移動することで、前記排出口が開閉される請求項８２乃至１３９のいずれか１項に記載のカートリッジ。
【請求項１４１】
前記カップリング部材は、弾性変形が可能な弾性変形部を有し、前記弾性変形部が変形することで前記カップリング部材が移動する請求項８２乃至１４０のいずれか１項に記載のカートリッジ。
【請求項１４２】
前記カートリッジは、前記感光体ドラムからトナーを除去するためのクリーニング部材  を有する請求項８２乃至１４１のいずれか１項に記載のカートリッジ。
【請求項１４３】
前記カートリッジは、前記カップリング部材を移動させるための力を前記カートリッジ  の外部から受けるための移動力受け部を有する請求項８２乃至１４２のいずれか１項に記載のカートリッジ。
【請求項１４４】
前記カートリッジは、前記カップリング部材を付勢する付勢部材を有し、
前記カップリング部材は、前記移動力受け部が受けた力によって、前記付勢部材の付勢力に抗して移動する請求項１４３に記載のカートリッジ。
【請求項１４５】
前記カートリッジの外部から回転力が入力される駆動入力部を有し、
前記駆動入力部から前記カップリング部材に前記回転力を伝達するように構成されている請求項８２乃至１４４のいずれか１項に記載のカートリッジ。
【請求項１４６】
前記感光体ドラムが前記駆動入力部を有する請求項１４５に記載のカートリッジ。
【請求項１４７】
前記感光体ドラム上に形成された潜像を現像するための現像ローラと、
前記現像ローラに現像剤を供給するための供給ローラであって、前記駆動入力部が設けられた供給ローラと、
を有する請求項１４５に記載のカートリッジ。
【請求項１４８】
前記排出口を開閉するためのシャッタ部材を有する請求項８２乃至１４７のいずれか１項に記載のカートリッジ。
【請求項１４９】
前記シャッタ部材は、前記排出口を覆うためのシール部材と、前記シール部材を支えるシール支持部を有し、
前記シャッタ部材が前記排出口を閉じているときに、前記シール部材は前記シール支持部と前記排出口の間に挟まれて前記排出口の縁に接触し、
前記シール支持部は、前記シール部材から離れるようにくぼんだ凹部もしくは、前記シール部材と接触しない非接触部を有する請求項１４８に記載のカートリッジ。
【請求項１５０】
前記シャッタ部材が前記排出口を開く開方向に沿って見た際に、前記シャッタ部材を少なくとも一部覆うカバー部であって、前記開方向において前記排出口よりも上流側に配置されたカバー部を有する請求項１４８又は１４９に記載のカートリッジ。
【請求項１５１】
前記カップリング部材は、第１の位置と、前記第１の位置から退避した第２の位置と、の間を移動可能である請求項８３および請求項１０３乃至１５０のいずれか１項に記載のカートリッジ。
【請求項１５２】
前記第２の位置にある前記カップリング部材と前記感光体ドラムの回転軸線との距離は、前記第１の位置にある前記カップリング部材と前記感光体ドラムの回転軸線との距離よりも短い請求項８２又は１５１に記載のカートリッジ。
【請求項１５３】
前記カートリッジは、前記感光体ドラムから除去されたトナーを搬送するための搬送部材を有し、
前記第２の位置にある前記カップリング部材と前記搬送部材の回転軸線との距離は、前記第１の位置にある前記カップリング部材と前記搬送部材の回転軸線との距離よりも短い請求項８２、１５１又は１５２に記載のカートリッジ。
【請求項１５４】
前記カップリング部材を前記第２の位置から前記第１の位置へ移動させるための力を前記カートリッジの外部から受ける移動力受け部を有する請求項８２および請求項１５１乃至１５３のいずれか１項に記載のカートリッジ。
【請求項１５５】
前記カップリング部材は自然状態で第２の位置にある請求項８２および請求項１５１乃至１５４のいずれか１項に記載のカートリッジ。
【請求項１５６】
前記カップリング部材を前記第２の位置に向けて付勢する付勢部材を有する請求項８２および１５１乃至１５５のいずれか１項に記載のカートリッジ。
【請求項１５７】
前記カップリング部材を前記第１の位置から前記第２の位置へ移動させるための力を前記カートリッジの外部から受ける移動力受け部を有する請求項８２および請求項１５１乃至１５３のいずれか１項に記載のカートリッジ。
【請求項１５８】
前記カップリング部材は自然状態で第１の位置にある請求項８２および請求項１５１乃至１５３および請求項１５７のいずれか１項に記載のカートリッジ。
【請求項１５９】
前記カップリング部材を前記第１の位置に向けて付勢する付勢部材を有する請求項８２および１５１乃至１５３、請求項１５７および請求項１５８のいずれか１項に記載のカートリッジ。
【請求項１６０】
請求項１乃至１５９のいずれか１項に記載のカートリッジと、
前記カートリッジが取り外し可能に装着される電子写真画像形成装置本体と、
を有する電子写真画像形成装置。
【手続補正２】
【補正対象書類名】明細書
【補正対象項目名】発明の名称
【補正方法】変更
【補正の内容】
【発明の名称】カートリッジおよび電子写真画像形成装置